(57)【要約】【課題】バストの揺れを有効に防止できる二重ブラジャを提供することである。【解決手段】一対のカップ１１、１１は台布１０に固着されており、この台布１０には、カップ１１、１１の外側端よりもさらに外側に延びる突出部１０ａ、１０ａが形成され、これらの突出部１０ａ、１０ａの端縁が、カップ１１、１１を被うサポート部材２の両端に固着され、一対のカップ１１、１１の上端接続部１１ｃとサポート部材２の接続部２０ｃ、２０ｃはループストラップ５、５によってそれぞれ接続されている。従ってカップ１１、１１は、台布１０の突出部１０ａ、１０ａとループストラップ５、５によってのみサポート部材２に接続されているので、サポート部材２に対して移動可能に支持されていることになる。【選択図】図３
2013245415.tif 000002
【特許請求の範囲】
【請求項１】
台布に下縁が固着された一対のカップと、それぞれのカップの外面を被う連続したサポート部材と、このサポート部材の両端から延びて人体の胸部背後で連結され前記サポート部材と共に前記胸部の周囲に保持されるバックバンドより成り、前記サポート部材のそれぞれのカップに対応する部分の中間部上端と前記カップの上端とはループストラップによってループ状にそれぞれ接続され、このループストラップの折り返し部と前記バックバンドの中間部上端とは肩ストラップによってそれぞれ接続され、前記台布の両端部は前記カップの外端部よりもそれぞれの外側に延びてその端縁が前記サポート部材の両端に固着され、前記一対のカップは前記ループストラップ及び前記台布の両端縁によってサポート部材に接続され、サポート部材に対して浮動可能に支持された二重ブラジャ。
【請求項２】
前記ループストラップの折り返し部にリングがスライド可能にそれぞれ嵌め合され、このリングと前記肩ストラップの一端がそれぞれ接続されて、前記一対のカップとサポート部材の上下位置を調整可能とした請求項１に記載の二重ブラジャ。
【請求項３】
前記サポート部材とバックバンドは同質の伸縮性布地によって一体に形成された請求項１または２に記載の二重ブラジャ。
【請求項４】
前記サポート部材はレース編地とその裏面全面に重ね合されたパワーネット地より成り、このレース編地とパワーネット地との間に、サポート部材の中央部から両端方向に徐々に高さが大きくなるパワーネット地を挟み込んだ請求項１〜３のいずれかに記載の二重ブラジャ。
【請求項５】
前記サポート部材の両端にボーンが上下方向に挿入された請求項１〜４のいずれかに記載の二重ブラジャ。
【請求項６】
前記サポート部材とバックバンドの接続部にまたがって、それらの上縁にほぼ半円形の窪みを形成し、この窪みと前記ループストラップ及び肩ストラップによって略円形状の腕挿入空間を形成した請求項１〜５のいずれかに記載の二重ブラジャ。
【請求項７】
前記カップに対応する膨らみをサポート部材に形成した請求項１〜６のいずれかに記載の二重ブラジャ。
【請求項８】
前記リングはストラップ挿通空間を二分するバーを有し、前記ループストラップはその折り返し部に前記バーが挿通されるように接続された請求項２〜７のいずれかに記載の二重ブラジャ。
【請求項９】
前記リングはストラップ挿通空間を形成する台板にクリップバーを有し、このクリップバーはストラップを横切るように延びてストラップを台板と共に挾持可能とした請求項２〜７のいずれかに記載の二重ブラジャ。
【発明の詳細な説明】
【技術分野】
【０００１】
この発明は、カップ部材とこのカップ部材を所定位置に保持するサポート部材を有する二重ブラジャに関する。
【背景技術】
【０００２】
一般のブラジャは、一対のカップをバストに被せ、カップの上端に肩紐（ストラップ）を接続して肩に掛けることによりカップを吊り上げ、カップの外側端にバックバンド（背バンド）を接続して背中で連結し、カップをバストに密着させ、このようなカップの吊り上げ及び密着機能によってバストを整形している。
【０００３】
このようなブラジャでは、一対のカップの内端を比較的パワーの大きい伸縮布で連結するのが普通であるが、両カップの間隔が非常に狭くかつバックバンドとの関係で両カップを引き寄せる機能が小さく、従ってバストを内側に盛り上げて大きく美しく見せる作用に欠けている。
【０００４】
そこで、特許文献１〜４には、カップとは分離して設けられたカップ引寄せ部材が提案されている。これらは、特許文献１では前身頃部材、特許文献２では強化締めつけシート、特許文献３ではカップ寄せ部材、特許文献４では引寄部と称されているが、基本的には一対のカップを中心部に引寄せるために、パワーのある比較的長い布（シート）部材をカップの外側端に固着した構造になっている（特許文献１の段落００３６、６〜７行目、特許文献３の縫着４６、８５、特許文献４の段落００２７、なお特許文献２は明確でない）。
【０００５】
一対のカップを中心方向に引寄せるためには、当然上記のように、カップに直接引寄せ部材の両端を固着する構造を採用しなければならないが、このような構造を採用した場合、ブラジャ装着中の運動によってバストとカップの位置ずれ等が生じると、カップに追従して引寄せ部材も変位し、カップをさらに引き寄せてカップの位置ずれを増幅させる問題がある。さらに、運動中にバストが大きく揺れると、カップの揺れが運動の障害になるが、引寄せ部材にはこれを防止する機能がほとんどない。そのほか、カップ引寄せ部材の中心部に長さ調整機能を設けることが特許文献１〜３に開示されているが、フック方式は実際上操作が面倒であり、また面ファスナを使用すれば無段調整も可能ではあるが、面ファスナは横方向（面方向と直角方向）の引張り強度が弱いために係合が外れ易い欠点があり、さらに面ファスナの雄または雌部材が着衣やカップに引掛る障害も生じる。
【０００６】
なお、特許文献５には、カシュクールとカップ部をつなぐ伸縮性吊り紐に、肩紐（ストラップ）の一端を連結環によって接続することが開示されている。しかしながら、カシュクールはカップ部に固着されたままであって前記吊り紐とストラップの連結構造は、カシュクールとカップ部との両者間の位置関係を調整する機能は全く持っておらず、カップ部が揺れるとそれに伴ってカシュクールも揺れるのは前記特許文献１〜４と同様である。
【先行技術文献】
【特許文献】
【０００７】
【特許文献１】特許第３９９６４０６号公報
【特許文献２】実用新案登録第３１１８０２９号公報
【特許文献３】特開２００７−３２１２４９号公報
【特許文献４】特開２０１１−３２５９１号公報
【特許文献５】特開２００８−２５０５６号公報
【発明の概要】
【発明が解決しようとする課題】
【０００８】
そこで、この発明の課題は、ブラジャのカップの揺れを有効に防止してカップの位置を安定的に保持することができ、かつカップとサポート部材との相対位置を調整可能にすることである。
【課題を解決するための手段】
【０００９】
上記の課題を解決するために、この発明においては、台布に下縁が固着された一対のカップと、それぞれのカップの外面を被う連続したサポート部材と、このサポート部材の両端から延びて人体の胸部背後で連結され前記サポート部材と共に前記胸部の周囲に保持されるバックバンドによって二重ブラジャを形成し、前記サポート部材のそれぞれのカップに対応する部分の中間部上端と前記カップの上端とをそれぞれループストラップによってループ状に接続し、このループストラップの折り返し部と前記バックバンドの中間部上端をそれぞれ肩ストラップによって接続し、前記台布の両端部を前記カップの外端部よりも外側にそれぞれ延ばしてその端縁を前記サポート部材の両端に固着し、一対のカップがサポート部材に対してループストラップ及び台布の両端縁によってのみ接続され、浮動可能に支持された構成を採用したのである。
【００１０】
上記ループストラップの折り返し部にリングをスライド可能に取り付けてこのリングと肩ストラップの一端を接続すると、一対のカップとサポート部材との上下位置を調整することができる。その際、リングにクリップ等のストラップ押圧手段や狭いストラップ挿通隙間等の摩擦手段を設けておくと、調整位置を保持することができる。
【００１１】
前記サポート部材とバックバンドを同質の伸縮性布地、例えばレース編地とパワーネット地を重ね合せた２重地で一体に形成することができる。また、サポート部材の両端方向にパワーを増加させるためにパワーネット地を挟み込んだ３重地にすることができる。さらに、サポート部材の両端縁にフレキシブルなボーンを挿入しておくのがよい。
【００１２】
そのほか、サポート部材に一対のカップと対応する膨らみを形成したり、サポート部材とバックバンドの接続部にまたがってほぼ半円形の窪みを形成することができる。
【発明の効果】
【００１３】
この発明によれば、以上のように、サポート部材に対してカップを相対的に移動可能に支持したので、胸の周囲に固定されるサポート部材はバストの揺れに伴うカップの移動を有効に抑制することができる。また、カップに対するサポート部材の上下位置を調整することができるので、カップを支えて持ち上げるバストアップ機能を増強することができる。
【図面の簡単な説明】
【００１４】
【図１】カップ部材の正面図、
【図２】サポート部材とバックバンドの正面図、
【図３】二重ブラジャの斜視図、
【図４】二重ブラジャの作用説明用斜視図、
【図５】（ａ）はループストラップ挿入用リングの正面図、（ｂ）はリングにループストラップを挿入した状態を示す側面図、
【図６】（ａ）はループストラップ挿入用リングの他の例を示す正面図、（ｂ）はリングにループストラップを挿入した状態を示す側面図、（ｃ）はループストラップをリングに係止した状態を示す側面図である。
【発明を実施するための形態】
【００１５】
以下、この発明の実施形態を添付図面に基づいて説明する。図１、２、３に示すように、この発明の二重ブラジャは、カップ部材１と、このカップ部材１の前面を覆うサポート部材２と、前記サポート部材２の両端縁にそれぞれ接続されたバックバンド3と、バックバンド３の上縁中途部分から延びてカップ部材１につながる肩ストラップ４から成る。
【００１６】
前記カップ部材１は、図１に示すように、台布１０に、一対のカップ１１、１１をその略半円形下縁に沿って縫着したものである。台布１０はパワーの大きい伸縮性布地より成り、その両端部にはカップ１１、１１の外側端１１ａ、１１ａよりも幅Ｗだけ突出した突出部１０ａ、１０ａが形成されている。また台布１０の下縁はそれぞれのカップ１１の下縁よりも所定距離だけ離れており、この下縁はごくわずかに内側に弯曲しパイピングテープで縁取り１０ｂが施されている。さらに前記カップ１１の略半円形下縁に沿ってワイヤ１１ｂがそれぞれ縫い込まれ、カップ１１の上端は、後述する吊り下げ用ループストラップ５の接続部１１ｃとなっており、内面にはパッド挿入用ポケット１１ｄが必要に応じて設けられる。なお、前記突出部１０ａの幅Ｗは、後述するサポート部材２との関連において適宜選択されるが、約１５ｍｍ〜５０ｍｍが好ましい。
【００１７】
前記サポート部材２は伸縮性布地より成り、図２に示すように、中央部に略半円形状窪み２０が形成され、頂点から両端に向って略円弧状に下降する２つの山形を有する形状で、それぞれの頂点は後述する吊り下げ用ループストラップ５との接続部２０ｃを形成している。そしてサポート部材２の下縁はごく緩い円弧状に弯曲しており、その長さはカップ部材１の台布１０の下縁の長さとほぼ等しい。
【００１８】
ここで、サポート部材２の中央の高さＨ3は、図１に示すカップ部材１の中央の高さＨ1よりも小さく、前者の両端の高さＨ4は、後者の両端の高さＨ2よりも大きくしてある。即ちＨ4＞Ｈ2＞Ｈ1＞Ｈ3である。
【００１９】
前記サポート部材２を形成する伸縮性布地としては、伸縮性レース編地の裏面全面にパワーネット地を重ね合せたものが好ましい。さらに図２の鎖線で示すように、中央部から両端方向に高さが大きくなるようなパワーネット地２０ｄを前記レース編地と裏地の間に挟み込んだ３重地としてパワーを増加させるのが好ましい。これによって、サポート部材２の下縁部から両端部に向って徐々にパワーが増加することになる。これに加えて、サポート部材２の下縁に沿って、裏面にゴム紐２０ｅを縫い付けておくことができる。
【００２０】
前記サポート部材２の両端縁に沿って、その全長にわたるフレキシブルなボーン（骨材）２０ａをそれぞれ封入しておくのがよい。このボーン２０ａは例えば合成樹脂で形成された細長い薄板を用いることができる。また、適当なつまみ縫目２０ｂ、２０ｂ、２０ｂによってカップ部材１のカップ１１、１１に対応する部分に膨らみを形成しておくと、サポート部材２がカップ１１により良く密着する。
【００２１】
次に、前記サポート部材２の両端には、バックバンド３、３がそれぞれ接続されている。このバックバンド３、３は、サポート部材２と同質の材料で一体に連続して形成するのが好ましいが、別体であってもよい。いずれにしてもサポート部材２とほぼ同様のパワーを有する伸縮地で形成するのがよい。そして下縁の裏面にはゴム紐３０ａが縫着されている。また上縁には、山形状で一方のスロープはサポート部材２の頂点（接続部２０ｃ、２０ｃ）から連続するほぼ半円形の窪み２１、２１を形成し、中央部の頂点は肩ストラップ４（図３）の接続部３０ｃ、３０ｃとなり、他方のスロープは略円弧状に下降して連結部３１、３１につながっている。この外側のスロープにも、下縁のゴム紐３０ａと同様のゴム紐３０ｂ、３０ｂを裏打ちしておくのがよい。また一方の連結部３１にはフック３１ａが固着され、他方の連結部３１には複数列のアイ（ｅｙｅ）３１ｂが設けられて、連結位置（バックバンド３の長さ）を調整できるようになっている。
【００２２】
前記サポート部材２とバックバンド３、３によって形成される略半円形窪み２１、２１の周縁には、パイピングテープによって縁取り２１ａ、２１ａが施されている。これらの窪み２１、２１は、肩ストラップ４及びループストラップ５と共にほぼ円形状の空間を形成して、人体の腕を挿通して容易にブラジャを装着できるようにしてあり、かつ装着後は、半円形窪み２１、２１の周辺部のサポート部材２及びバックバンド３、３が人体の脇下部を押圧するので、脇下部のたるみを抑制し、整形することができる。その作用を効果的にするためには、高さＨ4を約９ｃｍ〜１２ｃｍの範囲にしておくのが望ましい。
【００２３】
次に、前記カップ部材１とサポート部材及びバックバンド３を組合せて形成したブラジャについて説明する。図３に示すように、カップ部材１の前面にサポート部材２が配置され、カップ１１、１１を支持する台布１０の突出部１０ａ、１０ａは、その両端がサポート部材２の両端、即ちボーン２０ａ、２０ａの封入個所に縫着され、この縫着個所以外では台布１０とサポート部材２とは遊離している。そしてカップ１１、１１の上端に設けられた接続部１１ｃ、１１ｃとサポート部材２の山形頂点に設けられた接続部２０ｃ、２０ｃは、伸縮性のあるループストラップ５、５によって接続されている。従って一対のカップ１１、１１は、サポート部材２に対して、台布１０の突出部１０ａ、１０ａの外端縁及びループストラップ５、５によってのみ接続され、支持されることになる。
【００２４】
上記のように台布１０をサポート部材２に固着したとき、台布１０の長さとサポート部材２の長さはほぼ同じにしてあり、かつカップ１１、１１の膨らみに対応してサポート部材２にも膨らみが形成されている（縫目２０ｂ、２０ｂ）ので、サポート部材２は、カップ１１、１１を含むカップ部材１の外面にほぼ接触した状態になっている。そして、前記高さＨ1〜Ｈ4のサイズ関係から、カップ１１、１１はその２／３程度がサポート部材２に被覆されている。
【００２５】
前記バックバンド３、３の山形頂点の接続部３０ｃ、３０ｃには、伸縮性のある肩ストラップ４、４の一端が固着され、肩ストラップ４、４の他端は折り返されて、この折り返しループ部４ａにリング６が嵌め合され、このリング６はループストラップ５にも嵌め合されて肩ストラップ４とループストラップ５を接続している。勿論リング６のストラップ５、５に沿った移動は自由である。また、肩ストラップ４の折り返した他端にバックル７が固着され、このバックル７にストラップ４の中途部分を挿通して肩ストラップ４の長さを調整できるようにしてある。
【００２６】
このようにして形成されたブラジャの作用について説明する。図４はこの発明のブラジャを装着した状態を示す斜視図である。図示のように、サポート部材２は胸部前面から脇部の中途近くまで延びて、その両端はバックバンド３、３につながり、バックバンド３、３は胸部の背後で連結部３１によって接続され、胸部を周回して確実に固定される。また、肩ストラップ４、４は肩部に掛けられ、ストラップ４、４の一端はバックバンド３、３に接続され、他端はループストラップ５、５を介してサポート部材２の２個所に接続されて、胸部を周回したサポート部材２及びバックバンド３、３を吊り上げている。
【００２７】
上記の状態で一対のバストに被せられたカップ１１、１１は、台布１０の突出部１０ａ、１０ａ及びループストラップ５、５のみによって、胸部周囲に固定されたサポート部材２及びバックバンド３、３に支持されているので、サポート部材２に対して浮動可能な構造になっている。逆に言えばサポート部材２は、カップ１１、１１の動きに影響を受けることなくカップ１１、１１に対して独立して押圧力を働かせることができる。従って速歩や走行などの急激な運動中に、バストの揺れに伴ってカップ１１、１１が揺動しようとするとき、これを有効に抑制する作用がある。
【００２８】
さらに、カップ１１、１１とサポート部材２はループストラップ５、５によって接続され、これらのループストラップ５、５は肩ストラップ４、４の先端に設けたリング６、６にスライド可能に連結されており、ブラジャを着用すると、ループストラップ５、５は緊張した状態となる。一方、カップ１１、１１はサポート部材２に対して台布１０の突出部１０ａ、１０ａで接続されているので、台布１０の屈曲性及び伸縮性の範囲内で上下に移動可能である。そこで、ブラジャを着用した際に、例えば手でカップ１１、１１を持ち上げ、サポート部材２を親指と人差指との間に挟んで引き下げることによって、カップ１１、１１とサポート部材２の上下位置を微調整することができる。このとき、緊張した状態にあるループストラップ５、５はリング６、６に沿って滑り、カップ１１とサポート部材２を調整された位置に維持する。このように、位置の微調整はほぼ自動的に行なわれる。勿論前記と逆の位置調整が可能なことは言うまでもない。この調整範囲は、上下方向に約５ｍｍ〜２０ｍｍあれば実用上充分である。
【００２９】
上記位置調整を確実にするため、調整後にループストラップ５を別体のクリップで挾持してもよいが、図５または図６に示すようなリングを用いることができる。図５はリング６の内部空間を仕切るバー６ａを設けたものを示し、ループストラップ５は、図５（ｂ）に示すように、上部空間６ｂから下部空間６ｃに挿通されるようにする。このとき下部空間６ｃの高さＨ5をストラップ５の厚さよりもやや大きくしておくと、ストラップ５の屈曲部が直角に近づき、バー６ａ及び下部空間６ｃの下縁に対する摩擦力が大きくなるため、ストラップ５はその位置に保持される。ストラップ５をスライドさせたいとき、即ちリング６の位置を移動（調整）させたいときは、肩ストラップ４を引張ることによってループストラップ５の緊張を緩めるとよい。このリング６を用いることによって、カップ１１、１１とサポート部材２の相対位置の調整機能は多少阻害される。何故なら、カップ１１、１１を持ち上げると伸縮性ループストラップ５のカップ側ストラップが緩むので、より緊張したサポート側ストラップとパワーが均衡するまでリング６の個所でストラップのスライドが生じるが、このスライドのスムーズさがバー６ａまわりの摩擦力によって多少欠けるからである。
【００３０】
図６のリング６は、クリップバー６ｄをストラップの横断方向に一体に設けたものである。クリップバー６ｄの一端はリング６の台板６ｅに連結され、他端は自由端になっている。図６（ｂ）に示すように、通常は図３、４のリングと同様に、ループストラップ５はリング６の内部空間にスライド可能に挿通されているが、一定位置に保持する場合には、ループストラップ５の一方のストラップをクリップバー６ｄの自由端側から横方向に挿入すると（その場合クリップバー６ｄが開く方向に押し上げてもよい）、図６（ｃ）に示すように、ストラップはクリップバー６ｄに押圧されてスライドすることができない。なお、このバー６ｄ自体に弾性を持たせるか、或は台板６ｅとの連結部に弾性を持たせる（弾性的に連結する）か、両方共に弾性を持たせるかは任意である。また、バー６ｄの一端の連結部を自由に屈曲可能とし、他端の自由端を台板６ｅとスナップボタン構造で連結可能にしてもよい。
【００３１】
この発明の構成は、以上の実施形態に限定されるものではなく、様々な設計変更が可能である。
【符号の説明】
【００３２】
１  カップ部材
１０  台布
１０ａ  突出部
１０ｂ  縁取り
１１  カップ
１１ａ  カップの外側端
１１ｂ  ワイヤ
１１ｃ  ストラップの接続部
１１ｄ  ポケット
２  サポート部材
２０  半円形状窪み
２０ａ  ボーン（骨材）
２０ｂ  つまみ縫目
２０ｃ  ストラップの接続部
２０ｄ  パワーネット
２０ｅ  ゴム紐
２１  半円形窪み
２１ａ  縁取り
３  バックバンド
３０ａ  ゴム紐
３０ｂ  ゴム紐
３０ｃ  ストラップの接続部
３１  連結部
３１ａ  フック
３１ｂ  アイ
４  肩ストラップ
４ａ  ループ部
５  ループストラップ
６  リング
６ａ  仕切りバー
６ｂ  上部空間
６ｃ  下部空間
６ｄ  クリップバー
６ｅ  台板
７  バックル
Ｈ1〜Ｈ5  高さ
Ｗ  幅
【図１】
2013245415.tif 000003
【図２】
2013245415.tif 000004
【図３】
2013245415.tif 000005
【図４】
2013245415.tif 000006
【図５】
2013245415.tif 000007
【図６】
2013245415.tif 000008